(57)【要約】【課題】  適正な位置決めが行われたことを作業者が確実に確認でき、かつ、不適切な位置で台間機が作動することのない遊技機用台間機の電源スイッチ構造を提供する。【解決手段】  隣接する遊技機が適正な設置位置に配置されることにより移動する移動体を有し、この移動体の移動を検知して遊技機と遊技機用台間機との位置決めが適正に行われたことを確認するための位置決め確認手段と、前記位置決め確認手段による適正な位置決めの確認を報知するための報知手段とを備え、前記位置決め確認手段は、前記移動体の適正な移動を検知していない場合には、電源回路を遮断して前記遊技機用台間機を非通電状態にし、前記移動体の適正な移動を検知した場合には、電源回路を導通状態にして前記遊技機用台間機を通電状態にする。    【選択図】    図５
2006204547.tif 000002
【特許請求の範囲】
【請求項１】
遊技場に固定設置される遊技機用台間機に隣接して遊技機を設置する場合の、遊技機用台間機の電源スイッチ構造であって、
隣接する遊技機が適正な設置位置に配置されることにより移動する移動体を有し、この移動体の移動を検知して遊技機と遊技機用台間機との位置決めが適正に行われたことを確認するための位置決め確認手段と、
前記位置決め確認手段による適正な位置決めの確認を報知するための報知手段とを備え、  前記位置決め確認手段は、前記移動体の適正な移動を検知していない場合には、電源回路を遮断して前記遊技機用台間機を非通電状態にし、前記移動体の適正な移動を検知した場合には、電源回路を導通状態にして前記遊技機用台間機を通電状態にすることを特徴とする遊技機用台間機の電源スイッチ構造。
【請求項２】
前記報知手段として、前記遊技機用台間機が通電状態となった場合に点灯する発光装置を設けたことを特徴とする請求項１記載の遊技機用台間機の電源スイッチ構造。
【請求項３】
前記遊技機用台間機は、遊技媒体を払い出す遊技媒体払い出し装置と、隣接する遊技機の遊技媒体投入口に払い出しに係る前記遊技媒体を移送するための移送手段とを有し、
前記電源回路に、前記遊技媒体払い出し装置の駆動部を電気接続し、電気の導通と同時に前記遊技媒体払い出し装置が作動するように形成されていることを特徴とする請求項１又は２記載の遊技機用台間機の電源スイッチ構造。
【請求項４】
前記位置決め確認手段は、
遊技機用台間機の遊技機側の側面に形成された陥没部に設けられ、常態において隣接する遊技機の側面に向かって突出し、弾性体により突出方向に付勢されているとともに先端部に押圧力を受けることにより前記陥没部内に没入する移動体としての出没突起と、
前記出没突起が前記陥没部から突出している場合には電源回路を導通状態にするための接点が接触しており、前記出没突起が前記陥没部に没入することにより前記接点が非接触となるスイッチ機構とを備え、
隣接する遊技機が適正な位置に配置された場合には、当該遊技機の側面に設けられた凹部と前記陥没部の位置が合致して、前記出没突起が前記凹部内に突出するように形成されていることを特徴とする請求項１乃至３のいずれか１項に記載の遊技機用台間機の電源スイッチ構造。
【発明の詳細な説明】
【技術分野】
【０００１】
この発明は、遊技機用台間機に隣接して設置される遊技機の位置決め及び遊技機用台間機の電源スイッチに関するものである。
【背景技術】
【０００２】
従来より、スロットマシンなどのメダルを遊技媒体とする遊技機において、効率の良い遊技を行いたいという要請、あるいは、なるべく遊技メダルに手を触れないで遊技を行いたいという要請に基づき、遊技メダルを直接、遊技機に供給可能な遊技機用台間機（メダル貸し出し機）が考案されている（特許文献１参照）。
ここで、遊技機を新しい機種に変更する場合には、遊技機用台間機は遊技場に据え置かれ、遊技機のみが交換されることが多い。このような場合には、予め設置されている遊技機用台間機と、遊技機との位置あわせをする必要があるが、従来は、例えば特許文献２に示すような、ネジと複数のネジ孔により位置調整可能とする機構や、位置合わせ用マークを設けることにより、位置あわせを行っていた。さらに、特許文献３に示すように、遊技機にメダルを供給するためのノズルが適正位置に無い場合には、メダル投入ができないように制御するメダル貸出機も考案されている。
【特許文献１】特開２００３−２９９８６８号公報（図１）
【特許文献２】特開２０００−２０２１４６号公報
【特許文献３】特開２００３−２０５１６６号公報
【発明の開示】
【発明が解決しようとする課題】
【０００３】
しかし、上記した従来の位置あわせ方法では、遊技機と台間機との位置関係を機械的に調節できるだけであり、位置あわせが適切でない状態で台間機に電源が入ると、払い出されるメダルが遊技機のメダル投入口にうまく投入できず、メダルが零れるなどのトラブルを防止できない。また、前記特許文献３の場合には、ノズル位置が適正か否かを判断するセンサと制御部が必要となり、構造が複雑化しコストアップにつながるという問題点がある。
そこで、本願発明は、かかる課題に鑑みてなされたものであり、その目的とするところは、以下の点にある。すなわち、請求項１乃至３記載の発明は、適正な位置決めが行われたことを作業者が確実に確認でき、かつ、不適切な位置で台間機が作動することのない遊技機用台間機の電源スイッチ構造を提供することを目的とする。また、請求項４記載の発明は、上記目的に加え、簡易な機構で遊技機と台間機との位置あわせが可能な遊技機用台間機の電源スイッチ構造を提供することを目的とする。
【課題を解決するための手段】
【０００４】
各請求項にそれぞれ記載された各発明は、上記した各目的を達成するためになされたものであり、各発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技場に固定設置される遊技機用台間機に隣接して遊技機を設置する場合の、遊技機用台間機の電源スイッチ構造であって、隣接する遊技機が適正な設置位置に配置されることにより移動する移動体（突出体42）を有し、この移動体(42)の移動を検知して遊技機と遊技機用台間機との位置決めが適正に行われたことを確認するための位置決め確認手段（貸出機側スイッチ機構40）と、前記位置決め確認手段(40)による適正な位置決めの確認を報知するための報知手段（パイロットランプ26）とを備えている。
【０００５】
本発明は、例えばスロットマシンなどの遊技機を、メダル貸出機などの遊技機用台間機（以下台間機と省略する）に隣接して設置する場合に、遊技機と台間機との位置決めを行うと同時に、台間機の電源スイッチをＯＮにする電源スイッチ構造である。
ここで、遊技機の「適正な設置位置」とは、遊技機及び台間機がそれぞれ有効に機能するために予め設定された位置のことであり、遊技機と台間機との上下方向、左右方向、前後方向の位置関係が適正になることである。
ここで「移動体」は、遊技機が適正位置でないときに在る場所から、遊技機が適正位置となった場合に在るべき場所に移動するものである。例えば、移動体(42)として、台間機の側面から突出するとともに突出している部分を押圧されると台間機側面内部に没入可能な出没突起を設け、遊技機が適位置にない場合には（例えば遊技機の側面に押圧されて）出没突起は没入しており、遊技機が動かされて適位置に達した場合には（例えば遊技機の側面に設けられた凹部に嵌入して）突出するように形成することができる。
【０００６】
また、前記位置決め確認手段(40)は、前記移動体(42)が、遊技機が適正位置となった場合に在るべき場所に移動したことを検知可能な検知手段を有している。この検知手段は、例えば遮光センサやリミットスイッチなどの、移動体(42)が適位置に移動することにより、位置決めが完了したことを確認するためのものであり、確認自体を目的とするものであってもよいし、例えば移動体(42)の移動により台間機の電源回路がつながって、それにより台間機が通電状態となるようなスイッチ機構であってもよい。
前記「報知手段」は、何らかの手段で、位置決めが完了したことを作業者に報知できればよく、前記位置決め確認手段(40)が位置決めを確認した場合に点灯するランプや、所定の音声を出力するスピーカなどとすることができる。また、「報知手段」は、台間機に設けられていてもよいし、台間機が固定設置されている島設備に設けてあってもよい。なお、位置決めの完了により台間機が通電状態となった場合に、台間機に内蔵されているいずれかの装置（例えばメダル払い出し装置）が作動するように設定しておくことも、ここでいう「報知」に含むものとする。当該装置の作動により、遊技機の適位置への設置を知ることができるからである。
【０００７】
そして、前記位置決め確認手段(40)は、前記移動体(42)の適正な移動を検知していない場合には、電源回路を遮断して前記遊技機用台間機を非通電状態にし、前記移動体(42)の適正な移動を検知した場合には、電源回路を導通状態にして前記遊技機用台間機を通電状態にすることを特徴とする。
ここで、台間機が「非通電状態」であるとは、台間機に内蔵されている諸装置、例えばホッパー装置や紙幣カウンターなどが、電力が供給されないために作動しない状態のことである。また、台間機が「通電状態」であるとは、前記諸装置に電力が供給されて、作動可能な状態になることである。なお、電源回路の遮断及び開通は、位置決め確認手段(40)の検知信号に基づく制御により行ってもよいし（例えば移動体(42)を検知するセンサの検知信号の受信の有無に応じて電源回路の開閉を制御する）、位置決め確認手段(40)を電気回路中に設けた物理的スイッチ機構（例えば移動体(42)の移動により接点が接触して電源回路が開通する接触スイッチ）にしてもよい。
【０００８】
（作用）
本発明においては、遊技機が、台間機との関係において予め設定された適正な位置に設置された場合には、移動体(42)が所定位置に移動して、位置決め確認手段(40)が位置決めの完了を確認する。このとき、報知手段(26)により所定の報知がなされるので、作業者は位置決め完了を確実かつ明確に知ることができる。さらにこのとき、台間機の電源回路が導通状態になり、台間機は通電状態になって作動可能となる。
一方、遊技機が適位置に設置されていない場合には、移動体(42)は適位置に移動せず、位置決め確認手段(40)は位置決め確認ができない。従って、台間機の電源回路は遮断されたままとなって、台間機が作動しない。このため、遊技機と台間機が不適正な設置位置にあるままで台間機が作動することはない。
【０００９】
（請求項２）
（特徴点）
請求項２記載の発明は、上記した請求項１記載の発明の特徴点に加え、次の点を特徴とする。
すなわち、請求項２記載の発明は、前記報知手段(26)として、前記遊技機用台間機が通電状態となった場合に点灯する発光装置を設けたことを特徴とする。
本発明は、「報知手段」を限定したものである。「発光装置」は、電球や発光ダイオードを内蔵したパイロットランプとすることができる。
【００１０】
本発明によれば、「報知手段」は、適正な位置決めを報知するだけでなく、台間機が通電状態となったことを報知する通電報知手段としても機能することとなる。また、視覚により位置決め確認を報知するので、作業者はより確実に位置決め完了を知ることができる。
（請求項３）
（特徴点）
請求項３記載の発明は、上記した請求項１又は２記載の発明の特徴点に加え、次の点を特徴とする。
【００１１】
すなわち、請求項３記載の発明は、前記遊技機用台間機は、遊技媒体を払い出す遊技媒体払い出し装置と、隣接する遊技機の遊技媒体投入口（メダル投入口11）に払い出しに係る前記遊技媒体を移送するための移送手段（メダル移送ブロック34）とを有し、前記電源回路に、前記遊技媒体払い出し装置の駆動部を電気接続し、電気の導通と同時に前記遊技媒体払い出し装置が作動するように形成されていることを特徴とする。
本発明における「遊技媒体」とは、具体的には、遊技メダルやコイン、パチンコ球などの遊技球などを指す。そして、本発明における台間機は、遊技媒体払い出し装置として、例えばメダルを払い出すためのホッパー装置（貸し出しメダル払い出し装置23）を備えたメダル貸出機(2)などとすることができ、払い出しメダルを隣接する遊技機、例えばスロットマシンのメダル投入口(11)に直接移送可能に形成されている。前記移送手段(34)は、内部を遊技媒体が通過可能な移送通路を有する管状又は樋状のノズルとすることができる。
【００１２】
ここで、本発明における遊技媒体払い出し装置は、遊技媒体を払い出すための装置であって、台間機の内部に貯留されている遊技媒体を払い出すホッパー装置の他、台間機の外部、例えば島設備の内部に設けられた循環機から適宜遊技媒体を取り入れて、台間機から払い出すための装置も含む。また、遊技媒体払い出し装置としては、前記したホッパー装置の他に、ホッパーから払い出された遊技媒体を移送手段(34)に送り出すための遊技媒体送り出し装置（メダル送り装置32）など、遊技媒体払い出し装置と移送手段(34)の間に設けられる装置も含むものである。
またここで、「電気の導通と同時に前記遊技媒体払い出し装置が作動」とは、台間機が通電状態になることにより、遊技媒体払い出し装置が作動することであり、例えば、通常は紙幣の投入やスイッチ操作などにより作動するよう形成してある場合であっても、電源回路が導通状態になった場合には、紙幣投入やスイッチ操作なしで、自動的に遊技媒体払い出し装置が作動することである。
【００１３】
そして、本発明においては、遊技媒体投入口(11)が移送手段(34)から遊技媒体を適正に受け入れ可能な位置となった場合が、遊技機の「適正な設置位置」ということになる。ここで、「遊技媒体を適正に受け入れ可能」とは、移送手段(34)から排出される遊技媒体が、零れたり詰まったりすることなく、遊技機の遊技媒体投入口(11)に転送されるような状態になっていることである。
（作用）
本発明では、位置決め確認手段(40)の位置決め確認により台間機の電源回路が導通状態となると、自動的に遊技媒体払い出し装置(23)が作動して（例えばホッパーを作動させるためのモータが駆動して）、遊技媒体が移送手段(34)を通じて遊技媒体投入口(11)に移送される。すなわち、遊技機設置作業中に、台間機から遊技媒体が払い出されることで、遊技機が適正な位置に設置されたことを知ることができるのであり、遊技媒体払い出し装置(23)を報知手段として位置づけたものである。
【００１４】
本発明によれば、遊技媒体払い出し装置(23)の作動により、位置決め確認と同時に、移送手段(34)と遊技媒体投入口(11)の位置一致状態を確認することもできる。
なお、通電により開始された遊技媒体の移送を停止するには、例えば、所定時間移送が行われた後停止するようにタイマーで制御したり、遊技媒体払い出し装置(23)の作動を停止させるための停止スイッチを設けるなどすればよい。
（請求項４）
（特徴点）
請求項４記載の発明は、上記した請求項１乃至３のいずれか１項に記載の発明の特徴点に加え、次の点を特徴とする。
【００１５】
すなわち、請求項４記載の発明は、前記位置決め確認手段(40)は、遊技機用台間機の遊技機側の側面に形成された陥没部（凹部25）に設けられ、常態において隣接する遊技機の側面に向かって突出し、弾性体（バネ43）により突出方向に付勢されているとともに先端部に押圧力を受けることにより前記陥没部(25)内に没入する移動体としての出没突起（突出体42）と、前記出没突起(42)が前記陥没部(25)から突出している場合には電源回路を導通状態にするための接点(45)が接触しており、前記出没突起(42)が前記陥没部(25)に没入することにより前記接点(45)が非接触となるスイッチ機構とを備えている。そして、隣接する遊技機が適正な位置に配置された場合には、当該遊技機の側面に設けられた凹部(50)と前記陥没部(25)の位置が合致して、前記出没突起(42)が前記凹部(50)内に突出するように形成されていることを特徴とする。
【００１６】
本発明は、位置決め確認手段(40)を構成を具体的に特定したものである。
ここで、「常態」とは、弾性体(52)が無負荷状態であることを意味するものである。
前記「スイッチ機構」は、例えば、端部に接点(45)を有しバネ等により陥没部(25)の開口側（遊技機が設置される側）に付勢された摺動体(41)の、反接点側の端部に出没突起(42)を形成し、無負荷状態では出没突起(42)が突出していて接点(45)が接触しており、出没突起(42)が隣接する遊技機の側面に押圧されて陥没部(25)内に没入すると、摺動体(41)が奥側に移動して接点(45)が非接触となる押圧スイッチとすることができる。
（作用）
本発明においては、遊技機を隣接設置していない状態においては、出没突起(42)が陥没部(25)から突出しているので、台間機の電源回路は導通状態になっており、台間機は通電状態である。そして、遊技機を台間機に隣接させて設置する場合には、台間機の位置決め確認手段(40)が設けられている側面に、遊技機の凹部(50)が設けられている側面を沿わせるようにして、遊技機を手前側から押入していく。このとき、出没突起(42)は、台間機の側面に押圧されて陥没部(25)内に没入し、接点(45)は非接触となり台間機は非通電状態となる。そして、遊技機が適位置にまで移動してくると、陥没部(25)と凹部(50)との位置が合致して、出没突起(42)は陥没部(25)から凹部(50)の内部に向かって突出する。すると、出没突起(42)の移動に伴い接点(45)が接触し、電源回路が導通状態になる。
【００１７】
本発明によれば、遊技機に設けた凹部(50)と位置決め確認手段(40)が単純に電源回路のスイッチを兼ねているので、センサやセンサの検知信号に基づき制御を行う制御部も必要なく、コスト削減に役立つものである。また、位置決め確認手段(40)を固定側の台間機に設け、頻繁に交換する遊技機には凹部(50)を形成するだけでよいので、遊技機のコストダウンにも貢献する。
【発明の効果】
【００１８】
本発明は、以上のように構成されているので、次のような効果を奏する。すなわち、請求項１乃至３記載の発明によれば、適正な位置決めが行われたことを作業者が確実に確認でき、かつ、不適切な位置で台間機が作動することのない遊技機用台間機の電源スイッチ構造を提供することができる。また、請求項４記載の発明によれば、上記効果に加え、簡易な機構で遊技機と台間機との位置あわせが可能な遊技機用台間機の電源スイッチ構造を提供することができる。
【発明を実施するための最良の形態】
【００１９】
本発明の最良の実施形態を、遊技機としてスロットマシンを例に、図面に基づき説明する。
（図面の説明）
図１乃至図８は、本発明の実施の形態を示すものである。
図１はスロットマシン１及びメダル貸出機２の概略平面及び正面図、図２はスロットマシン１及びメダル貸出機２の外観斜視図、図３はメダル貸出機２の側面図、図４は一括投入機構３の拡大断面図、図５乃至図７は電源スイッチ機構４の拡大横断面図、図８は電源スイッチの電気回路の概略図である。
【００２０】
本実施の形態におけるメダル貸出機２は、スロットマシン１に隣接して設置され、一台のスロットマシンに一機ずつ対応するように設けられている。そして、メダル貸出機２とスロットマシン１の隣接部分には、スロットマシン１を適正な位置に設置することによりメダル貸出機２の電源をＯＮにするための電源スイッチ機構４が設けられている。
（スロットマシン１）
スロットマシン１は、図２に示すように、筐体10及び筐体の正面側に取り付けられた前扉13から形成され、正面側には回転リール（図示せず）の図柄を視認可能な図柄表示窓14が形成されている。また、この図柄表示窓14の下方でありスロットマシン１の略中央部は、スタートスイッチやストップスイッチなどの操作手段が設けられる操作部16となっている。そしてこの操作部16の正面右端部には、遊技メダルを投入するためのメダル投入口11が設けられている。なお、特に図示しないが、メダル投入口11の下方には、遊技メダルの真贋を判断すると共に投入メダルをカウントするためのメダルセレクターが設けられている。また、スロットマシン１の下部には、払い出しメダルを貯留可能な払い出しメダル皿15が設けられている。
【００２１】
ここで、メダル投入口11は、上方から遊技メダルを一枚ずつ投入可能な投入スリット11aと、投入スリットの側方に連通する側方移送通路11bとを有している。この側方移送通路11bは、投入スリット11aから正面右側（メダル貸出機２側）に延設された樋状の通路であって、後述するメダル移送ブロック34から送られてくる遊技メダルを受け入れ投入スリット11aに移送するためのものである。
そして、メダル投入口11から遊技メダルを投入し、スタートスイッチの操作により回転リールを回転させ、ストップスイッチの操作により回転リールを停止させ、このとき、複数の回転リールに表示された図柄が所定の位置態様に停止すると入賞となり、所定枚数のメダルが払い出されるように形成されているものである。
【００２２】
さらに、筐体10のメダル貸出機側の側板には、正面側から背面側に向かって略水平に形成され、側方に開口するスライド溝17が二本設けられている（図１（Ｂ）参照）。スライド溝17は、メダル貸出機２に設けられた凸部を嵌入可能な溝であり、スロットマシン１を手前側から押し込んで設置する際にガイドとなるとともに、スロットマシン１の上下方向の位置決めを行うことができるものである。
（メダル貸出機２）
メダル貸出機２は、スロットマシン１の側面側に隣接して設置される箱型の装置であって、金銭と引き替えに遊技メダルを貸し出すと共に、貸し出しメダル及び遊技者が投入するメダルをスロットマシン１のメダル投入口11に投入するためのものである。すなわち、メダル貸出機２は、図３に示すように、外箱20に、紙幣カウンター22及び貸し出しメダル払い出し装置23が内蔵されているとともに、正面側には一括投入機構３が取り付けられているものである。
【００２３】
外箱20は、直方形状の箱体であり、スロットマシン設置側の側面には、前記スロットマシン１のスライド溝17に嵌入可能な凸部24が設けられている。凸部24は、前後に連続する突条であっても、突起であってもよい。また、外箱20の正面上方には、メダル貸出機２が通電状態であることを報知するためのパイロットランプ26が設けられている。パイロットランプ26は、メダル貸出機２の主電源がＯＮとなった場合に、内蔵された電球や発光ダイオードなどの発光体が点灯するものであり、このパイロットランプ26の点灯により、紙幣カウンター22や貸し出しメダル払い出し装置23や一括投入機構３が作動可能であることを知ることができる。
【００２４】
なお、パイロットランプ26は、必ずしもメダル貸出機２に設けなくともよく、例えば島設備に設けて、島設備に固定されているメダル貸出機２の通電状態を報知可能であればよい。また、通電報知手段としては、上記パイロットランプ26に限られず、視覚又は聴覚に訴えて通電状態を報知できるものであればよい。
紙幣カウンター22は、外箱20の正面下方に設けられた紙幣投入口21から投入された紙幣を読み取って、貸し出しメダル払い出し装置23に所定枚数の遊技メダルを払い出させるためのものである。なお、メダル貸出機としては、紙幣投入口21及び紙幣カウンター22の他に、硬貨投入口や硬貨カウンター、釣り銭払い出し口などを有していてもよい。また、プリペイドカード投入口とカードリーダーを有していてもよい。
【００２５】
貸し出しメダル払い出し装置23は、遊技メダルを払い出すためのいわゆるホッパー装置であり、特に図示しないが、遊技メダルを貯留しておくためのタンクと、タンクに貯留されている遊技メダルを一枚ずつ排出可能な送り出し円板を有している。送り出し円板は、駆動モータに回転可能に軸止されており遊技メダルが嵌入可能な孔が形成されている。そして、この孔に入った遊技メダルを、回転に伴い一枚ずつ装置の外に排出するようになっている。また、貸し出しメダル払い出し装置23には排出メダルをカウントするためのセンサが設けられていて、所定枚数の遊技メダルを払い出したら駆動モータが停止するように形成されている。
【００２６】
（一括投入機構３）
一括投入機構３は、前記貸し出しメダル払い出し装置23から払い出される遊技メダル、及び遊技者が投入する遊技メダルを、スロットマシン１のメダル投入口11に一括投入するための機構である。具体的には、一括投入機構３は、図１及び図４に示すように、大きく分けて、メダル貸出機２の外箱20の正面に取り付けられた本体カバー30と、本体カバー30の内部に設けられたメダル送り装置32とから構成されている。
本体カバー30は、図２、図３に示すように、メダル貸出機２の外箱20の正面略中央部から手前側（スロットマシン１を正面から見た場合の手前側。以下同じ）に突出する箱形部材であり、上方に開口する一括投入開口31が形成され、図４に示すように、内部にはメダル送り装置32が内蔵されている。
【００２７】
そして、本体カバー30の正面側下端部には、図４に示すように、メダル移送ブロック34が取り付け板を介して取り付けられており、メダル移送ブロック34の上方には、メダル送り装置32のメダル送り出し部及びメダル移送ブロック34のメダル通路35に連通するメダル落下口33が形成されている。また、本体カバー30の底部奥側には、メダル送り装置32から排出される異物やリセットメダルを受け止める排出貯留箱90が収納されており、この排出貯留箱90の上方には、リセット開口36が形成されている。そして、リセット開口36の上方には、排出機構80が設置されている。さらに、排出機構80の上方には、貸し出しメダル払い出し装置23から払い出されるメダルを受け入れるための貸し出しメダル受入口37が形成されている。
【００２８】
ここで、メダル送り装置32は、一括投入開口31から投入されたメダルをメダル移送ブロック34に送り出すための装置であり、駆動モータ32dにより回転するローラ32aに掛け渡した搬送ベルト32bと、搬送ベルト32bの上にある遊技メダルを一枚ずつ分離するための逆転ローラ32cを備えている。また、一括投入開口31の周囲には、特に図示しないがタッチセンサが設けられていて、このタッチセンサに触れることにより、駆動モータ32dが駆動し、ローラ32aが図４に示す黒矢印方向に回転するようになっている。
また、前記排出機構80は、ソレノイド81の作動で開閉板82を開くことにより、メダル送り装置34のベルト上及び開閉板82の上にあるメダルや異物などを、リセット開口36から排出させるためのものである。
【００２９】
メダル移送ブロック34は、前記メダル送り装置32から送り出された遊技メダルをスロットマシン１のメダル投入口11に移送するための部材であって、遊技メダルが一枚ずつ通過可能なメダル通路35を有するブロック部材である。そして、スロットマシン１を適正位置に設置した場合には、メダル移送ブロック34の端部34a（図２参照）がメダル投入口11の側方移送通路11bと合致するようになっている。さらに、メダル移送ブロック34の背面側に固定されている取り付け板は、本体カバー30に対して前後方向に摺動可能に形成されていおり、メダル移送ブロック34の前後方向の取り付け位置を微調整することができる。これにより、隣接するスロットマシン１のメダル投入口11との僅かな位置ずれを修正することができるようになっている。
【００３０】
なお、端部34aと側方移送通路11bが合致して、メダル移送ブロック34のメダル通路35と側方移送通路11bが連通し、遊技メダルを適正に投入できる状態となった場合には、メダル貸出機２が通電状態となるように形成されているものであるが、これについいては後述する。
(遊技メダルの移送)
上記構成を有する一括投入機構３の遊技メダルの移送過程を説明する。
まず、一括投入開口31から遊技メダルを投入すると、遊技メダルはメダル送り装置34の搬送ベルト32bの後方部上面と開閉板82の上面に積み重なるように落下し、一括投入機構３の内部空間に貯留される。また、メダル貸出機２に紙幣を投入した場合には、貸し出しメダル払い出し装置23から遊技メダルが払い出され、貸し出しメダル受入口37を通って、一括投入機構３の内部空間（搬送ベルト32b及び開閉板82の上側）に貯留される。次に、一括投入開口31の周囲を手で押さえると、タッチセンサが反応して、メダル送り装置32が作動を開始する。すなわち、駆動モータ32dが駆動して、搬送ベルト32bが前方に移動開始する。
【００３１】
搬送ベルト32bが移動開始すると、搬送ベルト32bの後方部上面に乗っている遊技メダルが前方に移動し、搬送ベルト32bにより前方に移送された遊技メダルのうち、搬送ベルト32bの上面に乗っている遊技メダルは、搬送ベルト32bと逆転ローラ32cの下面との間の間隙をすり抜けて、一枚ずつ、メダル落下口33へと移送される。一方、搬送ベルト32bの上方に重なっている遊技メダルは、逆転ローラ32cと接触することにより、奥方向に蹴り戻される。  メダル送り装置32から送り出された遊技メダルは、メダル落下口33に誘導されつつ下方に落下する。そして、メダル移送ブロック34のメダル通路35を通って排出される。排出された遊技メダルは側方移送通路11bを通って、投入スリット11aに投入される。
【００３２】
なお、メダル送り装置32に残留している遊技メダルをスロットマシン１に投入したくない場合には、所定のリセットスイッチを操作すると、排出装置80のソレノイド81が作動して開閉板82を開くとともに、メダル送り装置32の駆動モータが逆転駆動する。これにより、搬送ベルト32bの上面にある遊技メダルは後方に移動し、開閉板82が開くことにより、リセット開口36から下方に落下する。このようにしてメダル送り装置32から排出された遊技メダルは、排出貯留箱90に貯留されるので、排出貯留箱90を手前側に引き抜いて、中に貯まったメダルを取り出せばよい。なお、メダル送り装置40内部に、ゴミなどの異物が混入した場合にも、上記したのと同様にして取り出すことができる。
【００３３】
（電源スイッチ機構４）
電源スイッチ機構４は、スロットマシン１が適正位置に設置されることにより、メダル貸出機２を通電状態にするための装置であり、図１に示すように、スロットマシン１とメダル貸出機２の隣接部分に設けられた接触スイッチである。具体的には、電源スイッチ機構４は、図５に示すように、メダル貸出機２のスロットマシン側の側面に設けられた貸出機側スイッチ機構40と、スロットマシン１のメダル貸出機側の側面に設けられた凹部50とから成る。
貸出機側スイッチ機構40は、メダル貸出機２の外箱20の側面に形成された凹部25の内部に設けられた突出スイッチであって、スロットマシン１とメダル貸出機２との位置決めが適正に行われたことを確認するための位置決め確認手段として機能する。具体的には、貸出機側スイッチ機構40は、一方の端部に、先端が球状に形成された突出体42、他方の端部にはストッパー44を備える棒状の摺動体41と、前記突出体42を外箱20の外側方向に付勢するバネ43を有している。そして、ストッパー44は、摺動体41がバネ43の付勢力により凹部25から飛び出してしまわないように摺動体41の端部を係止しているとともに、主電源70（図８参照）と接続する接点45aが設けられている。
【００３４】
摺動体41は、無負荷状態では、ストッパー44に設けられた接点45aが、メダル貸出機２の内部に設けられ主電源70と接続する接点45bと接触するよう位置している。また、摺動体41がストッパー44により凹部25内に係止されて最大限外側に位置しているとき、突出体42は、凹部25から突出している。
そして、突出体42が押圧力を受けると、バネ43は圧縮され、摺動体41が外箱20の内部側に移動し、接点45aと接点45bが隔離して、メダル貸出機２が非通電状態となり、突出体42にかかる押圧力がなくなると、圧縮されていたバネ43の復元力により摺動体41が外箱20の外部側に移動し、接点45aと接点45bが接触し、メダル貸出機２が通電状態となるよう形成されているものである。
【００３５】
一方、スロットマシン１の筐体10の側板には、凹部50が形成されている。この凹部50は、メダル貸出機２の凸部24とスロットマシン１のスライド溝17を係合させたときに、高さ方向の位置が貸出機側スイッチ機構40の凹部25と合致する位置に設けられている。また、凹部25と凹部50の前後方向の設置位置は、スロットマシン１のメダル投入口11の側方移送通路11bの側端部と、メダル貸出機２のメダル移送ブロック34の端部34aが位置一致して、メダル移送ブロック34のメダル通路35から排出される遊技メダルが支障なく側方移送通路11bに転送可能となるような位置に設定されている。
また、凹部50の奥側端部には、内側から外側に向かって傾斜する傾斜部50Aが形成されている。これは、スロットマシン１を定位置から取り出す場合に、凹部50に嵌入している突出体42が、スロットマシン１の移動に伴い凹部50の内壁に引っかかって破損しないようにするためのものである。
【００３６】
（スロットマシン１の設置とメダル貸出機２の電源入力）
次に、上記構成を有する電源スイッチ機構４の作用を説明する。
まず、島設備に設置されたメダル貸出機２は、スロットマシン１が隣接して設置されていない状態（旧台を撤去した状態）では、図５に示すように、貸出機側スイッチ機構40の突出体42がバネ43により外箱20の外側方向に押し出されているので、接点45aが接点45bと接触している。そのため、電源回路が導通状態になっており（図８参照）、メダル貸出機２を主電源70と接続すると、あるいは主電源70と接続したうえで本体の電源スイッチ（図示せず）をＯＮにすると、通電状態となる。また、主電源をＯＮにすることによりパイロットランプ26が点灯する。
【００３７】
次に、新たに設置するスロットマシン１を、前記メダル貸出機２の隣に配置し、外箱20に形成された凸部24の正面側をスロットマシン１のスライド溝17の背面側に嵌入させる。これにより、メダル貸出機２に対するスロットマシン１の上下方向の位置決めを行うことができ、例えば床面が水平でない場合であっても、貸出機側スイッチ機構40と凹部50の高さ方向の位置がずれないようにすることができる。そして、スロットマシン１をメダル貸出機２の側面に沿って奥方向に移動させる。このとき、貸出機側スイッチ機構40の突出体42は、図６に示すように、先端部が筐体10の側面に当接することにより凹部25の内部に没入する。これにより、バネ43が圧縮されて摺動体41は外箱20の内部側に移動し、接点45aと接点45bが非接触となり、電源回路が遮断されて、メダル貸出機２は非通電状態となる。すなわち、主電源がＯＮであっても、パイロットランプ26が消灯する。
【００３８】
図６の状態からさらにスロットマシン１を奥側に移動させると、やがてスロットマシン１の凹部50とメダル貸出機２の凹部25の前後方向の位置が合致する。すると、図７に示すように、凹部25の内部に没入している突出体42は、バネ43の復元力により凹部50の内部に突出する。そして摺動体41が外箱20の外方向へ移動し、接点45a,45bが接触して電源回路が再び導通状態となり、メダル貸出機２が通電状態となって、パイロットランプ26が点灯する。これで、スロットマシン１とメダル貸出機２との位置決めが完了する。すなわち、メダル移送ブロック34の端部34aと側方移送通路11bの上下方向及び前後方向の位置が合致する。
【００３９】
一方、スロットマシン１の押入が不十分で、突出体42が凹部50に突出していない状態では、接点45a,45bが非接触のままとなるので電源回路は遮断されたままであり、メダル貸出機２を作動させることができない。従って、メダル貸出機２のメダル排出部（メダル移送ブロック34の側端部）と、スロットマシン１のメダル受入部（側方移送通路11b）とが完全に合致しないままメダル貸出機２が作動して、スロットマシン１に供給されるべき遊技メダルがメダル投入口11に転送されずにこぼれ落ちてしまうという事態は発生し得ない。
なお、台交換のため、スロットマシン１を設置位置から取り出す場合には、スロットマシン１を手前側に移動させることにより、突出体42が凹部50の奥側端部に形成された傾斜部50Aに当接しつつ凹部25内に押し戻され、凹部50から抜け出して図６に示す状態となる。これにより、スロットマシン１は、突出体42と凹部50の係合に阻止されることなく、また突出体42が凹部50の内壁と噛み合って破損することなく、手前側に移動可能となる。
【００４０】
このように、本実施の形態によれば、スロットマシン１がメダル貸出機２に対して適位置に設置されることによりメダル貸出機２が通電状態となるので、上記したようなメダル移送のトラブルを防ぐことができるとともに、パイロットランプ26により適正な位置決めを確実に視認でき、設置作業がより効率的になる。
また、スロットマシン１が適位置に無いときには、メダル貸出機２が非通電状態となるので、不適正な設置のままメダル貸出機２を作動させてしまい、遊技メダルを床に零してしまうというトラブルも防ぐことができる。
ところで、メダル貸出機２の電源回路中に、図８に示すようなジャンパースイッチ60を設けてもよい。これは、ジャンパースイッチ60をＯＮにすることにより、接点45a,45bの接触状態如何にかかわらず、メダル貸出機２を通電状態にできるようにしたものである。このように形成することにより、突出体42が押圧されなくても主電源のＯＮによりメダル貸出機２を通電状態にすることができ、凹部50を有していないスロットマシンが隣接設置される場合に不都合のないようにすることができる。
【００４１】
なお、上記実施の形態では、スロットマシン１の設置時のガイド手段として、スロットマシン１にスライド溝17、メダル貸出機２に凸部24を設けてあったが、スロットマシン１に凸部、メダル貸出機２にスライド溝17を設けてもよい。そして、メダル貸出機２の構成は上記実施の形態に記載したものに限られず、スロットマシン１に隣接設置されスロットマシン１に遊技メダルを供給可能な構成を有していればよい。
また、本発明においては、電源スイッチ機構４は、メダル貸出機２が単体で設置されている状態ではメダル貸出機２を通電状態とし、メダル貸出機２の隣にスロットマシン１を設置する最中はメダル貸出機２を非通電状態とし、スロットマシン１が適位置に設置された場合には、再びメダル貸出機２を通電状態とすることができるようになっている。つまり、スロットマシン１の設置作業中にメダル貸出機２が作動することにより、スロットマシン１が適位置に設置されたのを知ることが可能である。従って、報知手段としてのパイロットランプ26は、必ずしも設けなくともよい。例えば、スロットマシン１を隣接させて非通電状態にしたメダル貸出機２の、貸し出しメダル払い出し装置23をＯＮにして（メダルが払い出し可能な状態にして）おき、メダル貸出機２が通電状態となると、自動的に貸し出しメダル払い出し装置23が作動するように設定しておく。そして、スロットマシン１の設置作業中に、メダルがメダル投入口11に転送されることにより、スロットマシン１が適位置に配置されたのを確認することができる。すなわち、貸し出しメダル払い出し装置23を報知手段として機能させてもよいのである。このように形成することにより、メダルの移送状況を実際に確認でき、メダル投入口11とメダル移送ブロック34の位置の微調整も同時に点検できるという利点がある。
【００４２】
この場合、貸し出しメダル払い出し装置23から払い出されるメダルは、移送ノズルなどを通して直接メダル投入口11に移送されるように形成されていてもよいし、上記実施形態のように、払い出しに係るメダルがメダル送り装置32によりメダル移送ブロック34に送り出されるようになっていてもよい。後者の場合には、メダル送り装置32は、装置内に払い出されたメダルを検知して作動するように形成しておくとよい。なお、自動的に（すなわち紙幣の投入によらないで）作動開始した貸し出しメダル払い出し装置23を停止させるには、例えば一定枚数払い出したら自動的にホッパーの駆動を停止させたり、一定時間ホッパーを駆動させた後に自動的に駆動停止させるよう、予めメダル貸出機２の制御装置にプログラムしておけばよい。あるいは、作動中の貸し出しメダル払い出し装置23の作動を停止させるためのストップボタンを設けてもよい。このようにすれば、位置決め完了により払い出しを開始した貸し出しメダル払い出し装置23がメダルを排出し続けるという不都合をなくすことができる。
【００４３】
さらに、本発明は、スロットマシン以外の遊技機に対応する台間機にも応用することができる。例えば、パチンコ球などの遊技球を用いてスロットマシンと同様の遊技を行わせるパロット遊技機に遊技球を供給可能な球貸し機に利用することができる。また、遊技機への遊技媒体供給機能の有無にかかわらず、台間機の隣に遊技機を設置する場合の位置決め手段として利用してもよい。
【図面の簡単な説明】
【００４４】
【図１】本発明の実施の形態であって、スロットマシン１及びメダル貸出機２の概略平面及び正面図である。
【図２】本発明の実施の形態であって、スロットマシン１及びメダル貸出機２の外観斜視図である。
【図３】本発明の実施の形態であって、メダル貸出機２の側面図である。
【図４】本発明の実施の形態であって、一括投入機構３の拡大断面図である。
【図５】本発明の実施の形態であって、電源スイッチ機構４の拡大断面図である。
【図６】本発明の実施の形態であって、スロットマシン設置中の電源スイッチ機構４の拡大断面図である。
【図７】本発明の実施の形態であって、スロットマシン設置後の電源スイッチ機構４の拡大断面図である。
【図８】本発明の実施の形態であって、電源スイッチの電気回路の概略図である。
【符号の説明】
【００４５】
１  スロットマシン
10  筐体                        11  メダル投入口
11a  投入スリット               11b  側方移送通路
13  前扉                        14  図柄表示窓
15  払い出しメダル皿            16  操作部
17  スライド溝                  18  凹部
２  メダル貸し出し機
20  外箱                        21  紙幣投入口
22  紙幣カウンター              23  貸し出しメダル払い出し装置
24  凸部                        25  凹部（陥没部）
26  パイロットランプ（報知手段）
３  一括投入機構
30  本体カバー                  31  一括投入開口
32  メダル送り装置             32a  ローラ
32b  搬送ベルト                 32c  逆転ローラ
32d  駆動モータ                  33  メダル落下口
34  メダル移送ブロック          35  メダル通路（移送路）
36  リセット開口                37  貸し出しメダル受入口
４  電源スイッチ機構
40  貸出機側スイッチ機構（位置決め確認手段）
41  摺動体                      42  突出体（移動体・出没突起）
43  バネ                        44  ストッパー
45  接点
50  凹部                        60  ジャンパースイッチ
70  主電源
80  排出機構                    81  ソレノイド
82  開閉板                      90  排出貯留箱
【図１】
2006204547.tif 000003
【図２】
2006204547.tif 000004
【図３】
2006204547.tif 000005
【図４】
2006204547.tif 000006
【図５】
2006204547.tif 000007
【図６】
2006204547.tif 000008
【図７】
2006204547.tif 000009
【図８】
2006204547.tif 000010